(57)【要約】【課題】本件は、立体コンテンツ（ｓｔｅｒｅｏｓｃｏｐｉｃ  ｃｏｎｔｅｎｔ）を表示するための優れた単一表示システム及び方法を提供することを課題としている。【解決手段】本件では、立体コンテンツ（ｓｔｅｒｅｏｓｃｏｐｉｃ  ｃｏｎｔｅｎｔ）を表示するための単一表示システム及び方法が提供される。より具体的には、受動眼鏡をかけて見る立体コンテンツを表示することができる単一の表示機構が提供される。【選択図】図１
2010140012.tif 000002
【特許請求の範囲】
【請求項１】
受動眼鏡をかけて見る立体コンテンツを表示することができる単一表示機構
を備えるシステム。
【請求項２】
前記単一表示機構が映写機を含む、請求項１に記載のシステム。
【請求項３】
前記映写機が偏光フィルタと一体化された、請求項２に記載のシステム。
【請求項４】
前記映写機が液晶と一体化された、請求項２に記載のシステム。
【請求項５】
前記映写機が偏光フィルタから分離された、請求項２に記載のシステム。
【請求項６】
前記映写機が液晶から分離された、請求項２に記載のシステム。
【請求項７】
前記単一表示機構が液晶ディスプレイを含む、請求項１に記載のシステム。
【請求項８】
前記立体コンテンツが、前記単一表示機構によって複数のフレームとして受け取られる、請求項１に記載のシステム。
【請求項９】
前記複数のフレームが、前記単一表示機構と一体化されたロジックによって供給される、請求項８に記載のシステム。
【請求項１０】
前記複数のフレームが、前記単一表示機構から分離されたロジックによって供給される、請求項８に記載のシステム。
【請求項１１】
前記複数のフレームが、単一のフィードによって前記単一表示機構によって受け取られる、請求項８に記載のシステム。
【請求項１２】
前記複数のフレームが、見る人の一方の眼を標的とする第１のサブセットと、見る人の他方の眼を標的とする第２のサブセットとを含む、請求項８に記載のシステム。
【請求項１３】
前記第１のサブセットのフレームと前記第２のサブセットのフレームが前記単一表示機構に交互に供給される、請求項１２に記載のシステム。
【請求項１４】
前記単一表示機構が、前記第１のサブセットのフレームと前記第２のサブセットのフレームを交互に表示する、請求項１２に記載のシステム。
【請求項１５】
前記単一表示機構に関連づけられた液晶が、前記第１のサブセットの前記フレームおよび前記第２のサブセットの前記フレームの前記交互表示と同期する、請求項１４に記載のシステム。
【請求項１６】
前記液晶が、関連づけられた所定の偏りを有し、前記所定の偏りを前記同期に基づいて回転させる、請求項１５に記載のシステム。
【請求項１７】
前記所定の偏りが前記受動眼鏡の一方のレンズと整列し、前記回転させた所定の偏りが前記受動眼鏡の他方のレンズと整列する、請求項１６に記載のシステム。
【請求項１８】
前記立体コンテンツが前記所定の偏りで表示されるときには、前記受動眼鏡の前記一方のレンズだけが、前記受動眼鏡をかけた人が前記立体コンテンツを見ることを可能にし、前記立体コンテンツが前記回転させた所定の偏りで表示されるときには、前記受動眼鏡の前記もう一方のレンズだけが、前記受動眼鏡をかけた人が前記立体コンテンツを見ることを可能にするように、前記立体コンテンツが前記液晶を通して表示される、請求項１７に記載のシステム。
【請求項１９】
複数のフレームを偏光させた後で前記複数のフレームを受け取ることによって、前記単一表示機構に関連づけられた液晶が前記複数のフレームを偏光させることを防ぐ、請求項８に記載のシステム。
【請求項２０】
単一表示機構を利用して表示するコンテンツを受け取ること、及び
受動眼鏡をかけて見るために、前記単一表示機構を利用して前記コンテンツを立体的に表示すること
を含む方法。
【発明の詳細な説明】
【技術分野】
【０００１】
[0001]本発明は立体コンテンツ（ｓｔｅｒｅｏｓｃｏｐｉｃ  ｃｏｎｔｅｎｔ）に関し、より具体的には立体コンテンツを表示する機構に関する。
【背景技術】
【０００２】
[0002]従来、立体コンテンツは奥行の錯覚を画像に提供してきた。このようにして、立体コンテンツの表示は、見る人が画像を３次元（３Ｄ）で見ることを可能にした。しかしながら、立体コンテンツを表示する技法はさまざまな限界を提示している。
【０００３】
[0003]例えば、立体コンテンツを映写機を利用して表示するのには通例、それぞれが単一のスクリーンに画像を映写する２台の別個の映写機を要した。受動眼鏡をかけて見る人は、これらの２台の映写機によって表示された画像を立体的に見ることができる。一般に、第１の映写機によって供給される画像は見る人の一方の眼を標的とし、第２の映写機によって供給される画像は見る人のもう一方の眼を標的とする。
【０００４】
[0004]したがって、従来技術に関連したこれらの問題及び／又はその他の問題に対処することが求められている。
【発明の概要】
【０００５】
[0005]立体コンテンツを表示する単一表示システム及び方法が提供される。具体的には、受動眼鏡をかけて見る立体コンテンツを表示することができる単一表示機構が提供される。
【図面の簡単な説明】
【０００６】
【図１】立体コンテンツを表示する一実施形態に基づく単一表示システムを示す図である。
【図２】立体コンテンツを表示する他の実施形態に基づく単一表示システムを示す図である。
【図３】液晶をバイアスする他の実施形態に基づく方法を示す図である。
【図４】下記のさまざまな実施形態のさまざまなアーキテクチャ及び／又は機能を実施することができる例示的なシステムを示す図である。
【発明を実施するための形態】
【０００７】
[0010]図１は、立体コンテンツを表示する一実施形態に基づく単一表示システム１００を示す。示されているように、受動眼鏡をかけて見る立体コンテンツを表示することができる単一表示機構１０２が提供される。この実施形態に関して、単一表示機構１０２は液晶ディスプレイ（ＬＣＤ）を含むことができる。
【０００８】
[0011]例えば、単一表示機構１０２を偏光フィルタと一体化することができる。さらに、単一表示機構１０２を液晶と一体化することもできる。このような偏光フィルタ及び液晶については後により詳細に説明する。ここではＬＣＤを記載したが、単一表示機構１０２は、受動眼鏡をかけて見る立体コンテンツを表示することができる任意のタイプのディスプレイを含むことができることに留意されたい。
【０００９】
[0012]さらに、単一表示機構１０２によって表示される立体コンテンツは、立体的に表示することができる任意のコンテンツ（例えば画像など）を含むことができる。このようにすると、立体コンテンツは、表示されたときに奥行の錯覚を生じさせることができる。単なる一例として、立体コンテンツは３次元（３Ｄ）コンテンツを含むことができる。
【００１０】
[0013]示されているように、単一表示機構１０２は、立体コンテンツを複数のフレーム１０６として受け取ることができる。フレーム１０６は画像、ビデオなどのフレームとすることができる。ここではフレーム１０６を記載したが、当然ながら、立体コンテンツは所望の任意の方式で配分することができることに留意されたい。
【００１１】
[0014]さらに、フレーム１０６は、やはり図示されているロジック１０４によって供給することができる。このロジックは、立体表示するコンテンツを出力するアプリケーション及び／又は他の任意のコードを含むことができる。そのために、任意選択として、ロジック１０６をコンピュータ上に具体化することができる。
【００１２】
[0015]一実施形態では、示されているように、ロジック１０４を単一表示機構１０２から分離することができる。例えば、単一表示機構１０２に関して遠隔に位置するコンピュータ及び／又は他の任意の装置上に、ロジック１０４を具体化することができる。任意選択として、ロジック１０４は、ロジック１０４を具体化した装置と単一表示機構１０２との間のハードワイヤ（ｈａｒｄｗｉｒｅ）接続、ロジック１０４を具体化した装置と単一表示機構１０２との間の無線接続、ロジック１０４を具体化した装置と単一表示機構１０２との間のネットワーク接続などを介して、単一表示機構１０２にフレーム１０６を供給することができる。
【００１３】
[0016]他の実施形態では、ロジック１０４を単一表示機構１０２と一体化することができる。したがって、単一表示機構１０２のロジック１０４は、単一表示機構１０２によって立体表示するフレーム１０６を供給することができる。さらに、単一表示機構１０２は、単一のフィード（ｆｅｅｄ）によってフレーム１０６を受け取ることができる。例えば、単一表示機構１０２にフレーム１０６を伝達するために単一のストリーム（ｓｔｒｅａｍ）を利用することができる。
【００１４】
[0017]さらに、フレーム１０６は、見る人の一方の眼（例えば右眼）を標的とする第１のサブセットと、見る人の他方の眼（例えば左眼）を標的とする第２のサブセットとを含むことができる。単なる一例として、フレーム１０６は、（図１の「Ｒ」によって表された）右眼フレームと、（図１の「Ｌ」によって表された）左眼フレームとを含むことができる。フレーム１０６は、単一表示機構１０２のリフレッシュ速度に等しい速度などの所望の任意の速度で、単一表示機構１０２に供給することができる。
【００１５】
[0018]一実施形態では、示されているように、第１のサブセットのフレームと第２のサブセットのフレームを、単一表示機構１０２に交互に供給することができる。したがって、例えば、見る人の左眼を標的とする第１のフレームを供給し、その後に、見る人の右眼を標的とする第１のフレームを供給し、その後に、見る人の左眼を標的とする第２のフレームを供給し、その後に、見る人の右眼を標的とする第２のフレームを供給し、以後同様にフレームを供給することができる。
【００１６】
[0019]それぞれのフレーム１０６を受け取ったことに応答して、単一表示機構１０２はこのようなフレームを表示することができる。したがって、単一表示機構１０２は、第１のサブセットのフレームと第２のサブセットのフレームを、１フレームずつ交互に表示することができる。
【００１７】
[0020]前述のとおり、単一表示機構１０２は、偏光フィルタ及び液晶を含むことができる。コンテンツの表示は、偏光フィルタ及び液晶を、コンテンツを立体的に表示することができるように通過することができる。任意選択で、立体コンテンツを高リフレッシュ速度（毎秒１２０画像、フレームなど）で表示することができる。
【００１８】
[0021]一実施形態では、液晶が偏光フィルタを利用して、それぞれのフレーム１０６を、そのフレームの標的である眼に基づいて偏光させることができる。例えば、液晶は、関連づけられた所定の偏りを有することができ、偏光フィルタを回転（例えば９０度、反対方向など）させて、回転させた所定の偏りを提供することができる。この回転は、液晶に電荷（例えば電圧）を印加して偏光フィルタを回転させるなど、所望の任意の方式で提供することができる。
【００１９】
[0022]受動眼鏡は、それぞれの眼に対して１枚、合計２枚のレンズを含むことができる。一実施形態では、前記所定の偏りを、受動眼鏡の１枚のレンズと整列させる（例えば前記所定の偏りが受動眼鏡の一方のレンズと同じ偏りを含む）ことができ、前記回転させた所定の偏りを、受動眼鏡の他方のレンズと整列させる（例えば前記回転させた所定の偏りが受動眼鏡の他のレンズと同じ偏りを含む）ことができる。このようにすると、前記所定の偏りを利用してフレームが表示されるときには、そのような所定の偏りと整列したレンズだけがフレームを見ることを可能にすることができ、前記回転させた所定の偏りを利用してフレームが表示されるときには、そのような回転させた所定の偏りと整列したレンズだけがフレームを見ることを可能にすることができる。例えば、立体コンテンツが前記所定の偏りで表示されるときには、受動眼鏡の一方のレンズだけが、受動眼鏡をかけた人が立体コンテンツを見ることを可能にし、立体コンテンツが前記回転させた所定の偏りで表示されるときには、受動眼鏡のもう一方のレンズだけが、受動眼鏡をかけた人が立体コンテンツを見ることを可能にするように、液晶を通して立体コンテンツを表示することができる。
【００２０】
[0023]他の実施形態では、液晶を、第１のサブセットのフレームと第２のサブセットのフレームの交互表示と同期させることができる。単なる一例として、見る人の一方の眼を標的とするフレームが表示されるときに、液晶をそのフレームと同期させて、そのフレームを、標的とされた眼のレンズと整列するように偏光させることができる。見る人のもう一方の眼を標的とする他のフレームが表示されるときには、液晶をこの他のフレームと同期させて、この他のフレームを、標的とされたもう一方の眼のレンズと整列するように偏光させることができる。したがって、液晶は、関連づけられた所定の偏りを有することができ、偏光フィルタによってその所定の偏りを、前記同期に基づいて回転させることができる。
【００２１】
[0024]一実施形態では、この同期を、ロジック１０４によって提供することができる。例えば、ロジック１０４は、液晶を第１のサブセットのフレームと第２のサブセットのフレームの交互表示と同期させるための制御情報を液晶に供給することができる。このような制御情報は、どちらの眼がそのフレームの標的であるのかを指示することができる。任意選択として、この制御情報を（例えば単一のフィードによって）フレーム１０６と一緒に単一表示機構１０２に供給することができる。もちろん、制御情報をこのようなフレーム１０６とは別に供給することもできる。
【００２２】
[0025]他の実施形態では、偏光フィルタが映像を偏光させる必要性は必ずしもないことに留意されたい。例えば、フレーム１０６を他のＬＣＤに通し、又は他のＬＣＤから反射させることができる。
【００２３】
[0026]図２は、立体コンテンツを表示する他の実施形態に基づく単一表示システム２００を示す。上記の定義はこの説明を通じて適用されることに留意されたい。
【００２４】
[0027]示されているように、受動眼鏡をかけて見る立体コンテンツを表示することができる単一表示機構が提供される。この実施形態に関して、この単一表示機構は映写機２０２を含むことができる。例えば、映写機２０２は、受動眼鏡をかけた人が見るために、立体コンテンツをスクリーン２１２上に映写することができる。
【００２５】
[0028]示されているように、映写機２０２は、立体コンテンツを複数のフレーム２０６として受け取ることができる。フレーム２０６は画像、ビデオなどのフレームとすることができる。ここではフレーム２０６を記載したが、当然ながら、立体コンテンツは所望の任意の方式で配分することができることに留意されたい。
【００２６】
[0029]さらに、フレーム２０６は、やはり図示されているロジック２０４によって供給することができる。このロジックは、立体表示するコンテンツを出力するアプリケーション及び／又は他の任意のコードを含むことができる。そのために、任意選択として、ロジック２０６をコンピュータ上に具体化することができる。
【００２７】
[0030]一実施形態では、示されているように、ロジック２０４を映写機２０２から分離することができる。例えば、映写機２０２に関して遠隔に位置するコンピュータ及び／又は他の任意の装置上に、ロジック２０４を具体化することができる。任意選択として、ロジック２０４は、ロジック２０４を具体化した装置と映写機２０２との間のハードワイヤ接続、ロジック２０４を具体化した装置と映写機２０２との間の無線接続、ロジック２０４を具体化した装置と映写機２０２との間のネットワーク接続などを介して、映写機２０２にフレーム２０６を供給することができる。
【００２８】
[0031]他の実施形態では、ロジック２０４を映写機２０２と一体化することができる。したがって、映写機２０２のロジック２０４は、映写機２０２によって立体表示するフレーム２０６を供給することができる。さらに、映写機２０２は、単一のフィードによってフレーム２０６を受け取ることができる。例えば、映写機２０２にフレーム２０６を伝達するために単一のストリームを利用することができる。
【００２９】
[0032]さらに、フレーム２０６は、見る人の一方の眼（例えば右眼）を標的とする第１のサブセットと、見る人の他方の眼（例えば左眼）を標的とする第２のサブセットとを含むことができる。単なる一例として、フレーム２０６は、（図２の「Ｒ」によって表された）右眼フレームと、（図２の「Ｌ」によって表された）左眼フレームとを含むことができる。フレーム２０６は、映写機２０２のリフレッシュ速度に等しい速度などの所望の任意の速度で、映写機２０２に供給することができる。
【００３０】
[0033]一実施形態では、示されているように、第１のサブセットのフレームと第２のサブセットのフレームを、映写機２０２に交互に供給することができる。したがって、例えば、見る人の左眼を標的とする第１のフレームを供給し、その後に、見る人の右眼を標的とする第１のフレームを供給し、その後に、見る人の左眼を標的とする第２のフレームを供給し、その後に、見る人の右眼を標的とする第２のフレームを供給し、以後同様にフレームを供給することができる。
【００３１】
[0034]それぞれのフレーム２０６を受け取ったことに応答して、映写機２０２はこのようなフレームを表示することができる。したがって、映写機２０２は、第１のサブセットのフレームと第２のサブセットのフレームを、１フレームずつ交互に表示することができる。
【００３２】
[0035]映写機２０２は、受け取ったそれぞれのフレームを、偏光フィルタ２０８及び液晶２１０を通して表示することができる。例えば、コンテンツの表示は、偏光フィルタ２０８及び液晶２１０を、コンテンツを立体的に表示することができるように通過することができる。任意選択で、立体コンテンツを高リフレッシュ速度（毎秒１２０画像、フレームなど）で表示することができる。
【００３３】
[0036]偏光フィルタ２０８及び液晶２１０は互いに分離されており、映写機２０２からも分離されているように示されているが、任意の偏光フィルタ２０８、液晶２１０及び／又は映写機２０２を一体化することができることに留意されたい。例えば、映写機２０２を偏光フィルタ２０８と一体化することができ、映写機２０２を液晶２１０と一体化することができる。
【００３４】
[0037]一実施形態では、液晶２１０が偏光フィルタ２０８を利用して、それぞれのフレーム２０６を、そのフレームの標的である眼に基づいて偏光させることができる。例えば、液晶２１０は、関連づけられた所定の偏りを有することができ、偏光フィルタ２０８を回転（例えば９０度、反対方向など）させて、回転させた所定の偏りを提供することができる。この回転は、液晶２１０に電荷（例えば電圧）を印加して偏光フィルタ２０８を回転させるなど、所望の任意の方式で提供することができる。
【００３５】
[0038]任意選択の他の実施形態では、偏光フィルタ２０８及び液晶２１０によって偏向させる代わりに、機械フィルタ（図示せず）を利用して、それぞれのフレーム２０６を、そのフレームの標的である眼に基づいて偏光させることができる。例えば、（例えば第１の眼に導かれる）第１の偏光に関連づけられた第１のフィルタと、（例えば第２の眼に導かれる）第２の偏光に関連づけられた第２のフィルタとを交換することによって、フィルタが、２つの偏光の間を機械的に切り替わることができる。
【００３６】
[0039]受動眼鏡は、それぞれの眼に対して１つ、合計２つのレンズを含むことができる。一実施形態では、前記所定の偏りを、受動眼鏡の一方のレンズと整列させる（例えば前記所定の偏りが受動眼鏡の一方のレンズと同じ偏りを含む）ことができ、前記回転させた所定の偏りを、受動眼鏡の他方のレンズと整列させる（例えば前記回転させた所定の偏りが受動眼鏡の他方のレンズと同じ偏りを含む）ことができる。このようにすると、前記所定の偏りを利用してフレームが表示されるときには、そのような所定の偏りと整列したレンズだけがフレームを見ることを可能にすることができ、前記回転させた所定の偏りを利用してフレームが表示されるときには、そのような回転させた所定の偏りと整列したレンズだけがフレームを見ることを可能にすることができる。例えば、立体コンテンツが前記所定の偏りで表示されるときには、受動眼鏡の一方のレンズだけが、受動眼鏡をかけた人が立体コンテンツを見ることを可能にし、立体コンテンツが前記回転させた所定の偏りで表示されるときには、受動眼鏡のもう一方のレンズだけが、受動眼鏡をかけた人が立体コンテンツを見ることを可能にするように、液晶２１０を通して立体コンテンツを表示することができる。
【００３７】
[0040]他の実施形態では、液晶２１０を、第１のサブセットのフレームと第２のサブセットのフレームの交互表示と同期させることができる。単なる一例として、見る人の一方の眼を標的とするフレームが表示されるときに、液晶２１０をそのフレームと同期させて、そのフレームを、標的とされた眼のレンズと整列するように偏光させることができる。見る人のもう一方の眼を標的とする他のフレームが表示されるときには、液晶２１０をこの他のフレームと同期させて、この他のフレームを、標的とされたもう一方の眼のレンズと整列するように偏光させることができる。したがって、液晶２１０は、関連づけられた所定の偏りを有することができ、偏光フィルタ２０８によってその所定の偏りを、前記同期に基づいて回転させることができる。
【００３８】
[0041]一実施形態では、この同期を、ロジック２０４によって提供することができる。例えば、ロジック２０４は、液晶２１０を第１のサブセットのフレームと第２のサブセットのフレームの交互表示と同期させるための制御情報を液晶２１０に供給することができる。このような制御情報は、どちらの眼がそのフレームの標的であるのかを指示することができる。任意選択として、この制御情報を（例えば単一のフィードによって）フレーム２０６と一緒に映写機２０２に供給することができる。もちろん、（示されているように）制御情報をこのようなフレーム２０６とは別に供給することもできる。例えば、液晶２１０が映写機２０２と一体化される場合、制御情報は、フレーム２０６と一緒に液晶２１０に供給することができる。しかしながら、（示されているように）液晶２１０が映写機２０２から分離される場合には、制御情報を、フレーム２０６とは別に液晶２１０に供給することができる。
【００３９】
[0042]他の実施形態では、偏光フィルタ２０８が映像を偏光させる必要性は必ずしもないことに留意されたい。例えば、フレーム２０６を他のＬＣＤに通し、又は他のＬＣＤから反射させることができる。
【００４０】
[0043]次に、任意選択のさまざまなアーキテクチャ及び特徴に関するより例示的な情報を記載する。ユーザの希望に従い、それらのさまざまなアーキテクチャ及び特徴を使用して、上記のフレームワークを実施しても、実施しなくてもよい。以下の情報は例示目的で記載されるのであり、以下の情報をいかなる意味でも限定目的と解釈すべきでないことによく留意されたい。任意選択で、記載された他の特徴を除外し又は除外することなく、以下の任意の特徴を組み込むことができる。
【００４１】
[0044]図３は、液晶をバイアス（ｂｉａｓ）する他の実施形態に基づく方法３００を示す。任意選択として、方法３００を、図１及び／又は２の環境の文脈で実行することができる。単なる一例として、方法３００は、図１及び／又は２のロジック１０４及び／又は２０４を利用して実行することができる。しかし、当然ながら、方法３００は、所望の任意の環境で実行することができる。この場合も、上記の定義はこの説明を通じて適用されることに留意されたい。
【００４２】
[0045]判断３０２に示されているように、第１の眼の画像が映写されるのかどうかが判定される。この実施形態に関して、第１の眼の画像は、受動眼鏡をかけた見る人の第１の眼（例えば左眼、右眼など）を標的とする画像を含むことができる。一実施形態では、第１の眼の画像が、見る人の第１の眼を標的とする画像の単一のフレームを含むことができる。
【００４３】
[0046]他の実施形態では、単一表示機構が、第１の眼の画像を受け取った直後に第１の眼の画像を映写することができる。したがって、単一表示機構が（例えばこのような第１の眼の画像を供給するロジックから）第１の眼の画像を受け取ったときに、第１の眼の画像が映写されると判定することができる。
【００４４】
[0047]判断３０２で、第１の眼の画像が映写されると判定された場合、液晶がバイアスされる。動作３０４に注目されたい。この実施形態に関して、液晶をバイアスすることは、所定の回転（例えば９０度など）だけ液晶を回転させることを含むことができる。この回転は例えば電荷によって提供することができる。さらに、液晶をバイアスすると、その回転に関連づけられた第１の眼の画像の偏光が達成されるように、液晶を偏光フィルタと一体とすることができる。
【００４５】
[0048]第１の眼の画像の偏光と見る人の第１の眼に装着されたレンズの偏りとが整列する量だけ、液晶をバイアスすることができる。このようにすると、液晶をバイアスすることによって、見る人が、見る人の第１の眼に装着されたレンズを通して、第１の眼の画像を見ることができるようにすることができる。液晶をバイアスすることによってさらに、異なる偏りを有するレンズが装着された見る人のもう一方の眼が、（例えばその画像を全て黒の画像として見るなど）第１の眼の画像を見ることができないようにすることができる。
【００４６】
[0049]判断３０２で、第１の眼の画像が映写されないと判定された場合、又は動作３０４で液晶をバイアスした後に、第２の眼の画像が映写されるのかどうかが判定される。判断３０６に注目されたい。この実施形態に関して、第２の眼の画像は、受動眼鏡をかけた見る人の第２の眼（例えば左眼、右眼など）を標的とする画像を含むことができる。第２の眼は、第１の眼ではない見る人の眼を含むことができる。一実施形態では、第２の眼の画像が、見る人の第２の眼を標的とする画像の単一のフレームを含むことができる。
【００４７】
[0050]他の実施形態では、単一表示機構が、第２の眼の画像を受け取った直後に第２の眼の画像を映写することができる。したがって、単一表示機構が（例えばこのような第２の眼の画像を供給するロジックから）第２の眼の画像を受け取ったときに、第２の眼の画像が映写されると判定することができる。
【００４８】
[0051]判断３０６で、第２の眼の画像が映写されると判定された場合、液晶はアンバイアス（ｕｎ−ｂｉａｓ）される。動作３０８に注目されたい。この実施形態に関して、液晶をアンバイアスすることは、ある所定の偏り（例えば０度など）に液晶を維持することを含むことができる。前述のとおり、液晶を偏光フィルタと一体とすることができるため、液晶をアンバイアスすると、偏光フィルタのデフォルト（ｄｅｆａｕｌｔ）の偏りである第２の眼の画像の偏光を達成することができる。
【００４９】
[0052]第２の眼の画像の偏光を、見る人の第２の眼に装着されたこのようなレンズの偏りと整列させることができるように、このデフォルトの偏りを、見る人の第２の眼に装着されたレンズの偏りと整列させることができる。このようにすると、液晶をアンバイアスすることによって、見る人が、見る人の第２の眼に装着されたレンズを通して、第２の眼の画像を見ることができるようにすることができる。液晶をアンバイアスすることによってさらに、異なる偏りを有するレンズが装着された見る人のもう一方の眼（例えば第１の眼）が、（例えばその画像を全て黒の画像として見るなど）第２の眼の画像を見ることができないようにすることができる。
【００５０】
[0053]さらに、第１の眼の画像が映写されるのかどうかが再び判定される（判断３０２）。このために、映写中の画像が標的とする眼に基づいて、液晶を交互にバイアスし、アンバイアスすることができる。例えば、このバイアスにより、見る人の標的とされた眼に装着されたレンズの偏りと整列するように画像を偏光させて、見る人の標的とされた眼がその画像を見ることができるようにすることができる。
【００５１】
[0054]図４は、上記のさまざまな実施形態のさまざまなアーキテクチャ及び／又は機能を実施することができる例示的なシステム４００を示す。示されているように、通信バス４０２に接続された少なくとも１つのホスト処理装置４０１を含むシステム４００が提供される。システム４００はさらに主記憶装置４０４を含む。ランダムアクセスメモリ（ＲＡＭ）の形態をとることができる主記憶装置４０４には、制御ロジック（ソフトウェア）及びデータが記憶される。
【００５２】
[0055]システム４００はさらにグラフィックス処理装置４０６及びディスプレイ４０８、すなわちコンピュータモニタを含む。一実施形態では、グラフィックス処理装置４０６が、複数のシェーダ（ｓｈａｄｅｒ）モジュール、ラスタ化モジュールなどを含むことができる。上記のそれぞれのモジュールを単一の半導体プラットホーム上に配置して、グラフィックス処理ユニット（ＧＰＵ）を形成することもできる。
【００５３】
[0056]この説明では、単一の半導体プラットホームが、半導体ベースの唯一の一体の集積回路又はチップを指すことがある。用語「単一の半導体プラットホーム」は、オンチップ動作をシミュレートする、従来の中央処理ユニット（ＣＰＵ）／バス実装の利用よりも相当に改良された、高い接続性を有する多チップモジュールを指すこともあることに留意されたい。もちろん、これらのさまざまなモジュールは、ユーザの希望に従って、別々に配置し、又は複数の半導体プラットホームのさまざまな組合せの中に配置することもできる。
【００５４】
[0057]システム４００はさらに２次記憶装置４１０を含むことができる。２次記憶装置４１０は例えばハードディスクドライブ及び／又は取外し可能記憶ドライブを含み、取外し可能記憶ドライブは、フレキシブルディスクドライブ、磁気テープドライブ、コンパクトディスクドライブなどを表す。取外し可能記憶ドライブは、よく知られた方式で、取外し可能記憶ユニットから読み出し、かつ／又は取外し可能記憶ユニットに書き込む。
【００５５】
[0058]主記憶装置４０４及び／又は２次記憶装置４１０に、コンピュータプログラム又はコンピュータ制御ロジックアルゴリズムを記憶することができる。このようなコンピュータプログラムは、実行されたときに、システム４００がさまざまな機能を実行することを可能にする。記憶装置４０４、記憶装置４１０及び／又は他の任意の記憶装置は、コンピュータ可読媒体の可能な例である。
【００５６】
[0059]一実施形態では、上記のさまざまな図のアーキテクチャ及び／又は機能を、ホスト処理装置４０１、グラフィックス処理装置４０６、ホスト処理装置４０１とグラフィックス処理装置４０６の両方の機能の少なくとも一部を実行することができる集積回路（図示せず）、チップセット（すなわち関連機能を実行するユニットなどとして機能するように設計され、そのようなユニットなどとして販売されている一群の集積回路）、及び／又はそれに関する他の任意の集積回路の文脈で実現することができる。
【００５７】
[0060]さらに、上記のさまざまな図のアーキテクチャ及び／又は機能を、汎用コンピュータシステム、回路ボードシステム、娯楽目的の専用ゲームコンソールシステム、特定用途向けシステム、及び／又は他の所望の任意のシステムの文脈で実現することもできる。例えば、システム４００は、デスクトップコンピュータ、ラップトップコンピュータ及び／又は他の任意のタイプのロジックの形態をとることができる。さらに、システム４００は、限定はされないが、パーソナルディジタルアシスタント（ＰＤＡ）装置、移動電話装置、テレビジョンなどを含むさまざまな他の装置の形態をとることができる。
【００５８】
[0061]さらに、示されてはいないが、システム４００を、通信目的で、ネットワーク（例えば電気通信ネットワーク、ローカルエリアネットワーク（ＬＡＮ）、無線ネットワーク、インターネットなどのワイドエリアネットワーク（ＷＡＮ）、ピアツーピアネットワーク、ケーブルネットワークなど）に結合することもできる。
【００５９】
[0062]以上に、さまざまな実施形態を説明したが、それらの実施形態は例示のためだけに提示したものであり、限定のために提示したのではないことを理解されたい。したがって、好ましい実施形態の広さ及び範囲は、上述の例示的ないずれかの実施形態によって限定されるものではなく、以下の特許請求の範囲及びそれらの等価物だけに従って定義されるものである。
【符号の説明】
【００６０】
１００…単一表示システム、１０２…単一表示機構、１０４…ロジック、１０６…フレーム、２００…単一表示システム、２０２…映写機、２０４…ロジック、２０６…フレーム、２０８…偏光フィルタ、２１０…液晶、２１２…スクリーン、４００…システム、４０１…ホスト処理装置、４０２…通信バス、４０４…主記憶装置、４０６…グラフィックス処理装置、４０８…ディスプレイ、４１０…２次記憶装置。
【図１】
2010140012.tif 000003
【図２】
2010140012.tif 000004
【図３】
2010140012.tif 000005
【図４】
2010140012.tif 000006
【外国語明細書】
2010140012000001.pdf